(57)【要約】【課題】本発明は、回転子ティース表面を切削したり、回転子表面に粘土のような材質を貼り付けたりせずに、低振動、低騒音、高効率でかつ安全な電動機を提供できる、電動機用回転子の重量アンバランス修正方法を実現することを目的とする。【解決手段】電動機用回転子の回転子鉄心のオープンスロット部分に、長さ及び比重の異なる部材を配設して、回転子の重量アンバランスを修正することにより、回転子鉄心の外周表面を部分的に切削しないので、固定子と回転子のギャップ寸法が部分的にも平均的にも増加したりすることはない。また、アンバランス修正用の部材を回転子鉄心のオープンスロット部分の隙間に挿入し固定するので、高速回転で外れたりすることはない。【選択図】図１
2008099451.tif 000002
【特許請求の範囲】
【請求項１】
電動機に用いられる回転子において、長さ及び比重の異なる部材を回転子鉄心のオープンスロット部分に配設することで、前記回転子の重量アンバランスを修正することを特徴とする回転子加工方法。
【請求項２】
前記部材として非磁性体を用いたことを特徴とする請求項１に記載の回転子加工方法。
【請求項３】
前記部材として黄銅を用いたことを特徴とする請求項１に記載の回転子加工方法。
【請求項４】
前記部材として樹脂を用いたことを特徴とする請求項１に記載の回転子加工方法。
【請求項５】
前記請求項１から４のいずれか１項に記載の回転子加工方法により加工した電動機用回転子。
【請求項６】
前記請求項５の電動機用回転子を用いた電動機。
【発明の詳細な説明】
【技術分野】
【０００１】
本発明は、電気機器に用いられる電動機全般に使用される回転子のアンバランス修正方法に関する。
【背景技術】
【０００２】
従来、電気機器に用いられる電動機に使用される回転子２１の重量アンバランス修正方法としては、バランス測定機器により求められた、回転子２１の重量アンバランスの大きい部分に対し、図２に示すように、回転子鉄心の外周表面２２に切削などの工法により切削部分２３を設け、重量を減じて修正する方法や、回転子２１のアンバランスの小さい部分に対し、粘土のような材質を回転子２１の表面付近に貼り付けることにより、重量を増して修正する方法が一般的であった。
【０００３】
かかる先行技術は、文献公知発明に係るものでないため、記載すべき先行技術文献情報はない。
【発明の開示】
【発明が解決しようとする課題】
【０００４】
しかしながら、上記のような従来の回転子の重量アンバランス修正方法において、回転子鉄心の外周部分の切削工法の場合、回転子外周と固定子内周間の寸法、いわゆるギャップ寸法が、部分的に増加することにより、磁気的な振動が発生したり、平均的なギャップ寸法の増加に伴い、電動機の消費電力が増加してしまうといった課題があった。
【０００５】
また、粘土のような材質を回転子の表面付近に貼り付ける工法の場合でも、電動機が高回転で運転される際に、遠心力で前記材質が剥がれてしまうことにより、回転子のアンバランス修正が崩れ、電動機の機械的振動が大きくなってしまうといった課題があった。
【課題を解決するための手段】
【０００６】
上記課題を解決するために本発明は、電動機に用いられる回転子において、長さ及び比重の異なる部材を回転子鉄心のオープンスロット部分に配設することで、前記回転子の重量アンバランスを修正することを特徴とする回転子加工方法である。
【０００７】
上記工法で回転子の重量アンバランスを修正することにより、回転子鉄心の外周を部分的に切削したりしないので、固定子と回転子のギャップ寸法が部分的にも平均的にも増加したりすることはない。
【０００８】
また、アンバランス修正用の部材を回転子鉄心のオープンスロット部分の隙間に挿入し固定するので、高速回転で外れたりすることはない。
【発明の効果】
【０００９】
上記本発明の回転子アンバランス修正方法は、部材を回転子鉄心のオープンスロット部分に配設するだけの簡単な構成で、容易に回転子のアンバランスを修正できる。
【００１０】
そして、固定子と回転子のギャップ寸法を全周均一の状態に保てるので、回転中に磁気的なアンバランスによる振動も発生することがなく、また、平均的なギャップ寸法も増加しないので、電動機効率の低下も招くことがなく、低振動、低騒音、高効率な電動機を提供できる。
【００１１】
さらに、アンバランス修正用部材は回転子鉄心のオープンスロット部分にしっかりと固定されており、高速回転においても決して外れることがないので、回転子の重量バランスが崩れず、回転中の機械的振動が増加することがなく、低振動、低騒音でかつ安全な電動機を提供できる。
【発明を実施するための最良の形態】
【００１２】
本発明の実施の形態は、電動機に用いられる回転子において、長さ及び比重の異なる部材を回転子鉄心のオープンスロット部分に配設することで、前記回転子の重量アンバランスを修正することを特徴とする回転子加工方法であり、簡単な構成で容易に回転子の重量アンバランスを修正でき、回転子の重量アンバランスを修正しても、固定子と回転子のギャップ寸法が部分的にも平均的にも増加したりすることがなく、かつ、高速回転でもアンバランス修正用部材が外れたりすることがない。
【００１３】
また、上記工法において、アンバランス修正用部材として非磁性体を用いることで、磁気的なアンバランスも抑えることができる。
【００１４】
また、上記工法において、アンバランス修正用部材として黄銅を用いることで、黄銅は安価で加工性が良好なので、安価で容易に回転子の重量アンバランスを修正することができる。
【００１５】
また、上記工法において、アンバランス修正用部材として樹脂を用いることで、樹脂はより加工性に優れ形状自由度が大きいので、より容易に回転子の重量アンバランスを修正することができる。
【００１６】
さらに、上記工法により回転子の重量アンバランスを修正した電動機用回転子を用いることで、低振動、低騒音、高効率でかつ安全な電動機を提供することができる。
【実施例】
【００１７】
以下、本発明の実施例について図面を用いて説明する。
【００１８】
（実施例１）
図１は電動機の回転子１を示す斜視図であり、回転子１の重量分布のアンバランスをバランス測定機器により求め、その重量アンバランスを修正するために、回転子鉄心２のオープンスロット部分に適当な形状に加工した黄銅の小片３を挿入して固定する。
【００１９】
上記構成をとることで、簡単な構成で容易に回転子の重量アンバランスを修正でき、回転時の機械的な回転ムラが低減されるだけでなく、回転子鉄心２のティース表面を切削したりしないので、固定子と回転子のギャップ寸法を全周均一の状態に保て、磁気的なアンバランスによる振動が発生しない。また、平均的なギャップ寸法も増加しないので、電動機効率の低下も招くことがなく、低振動、低騒音、高効率な電動機を提供できる。
【００２０】
さらに、アンバランス修正用部材である黄銅の小片３は、回転子鉄心２のオープンスロット部分に挿入され、しっかりと固定されており、高速回転においても決して外れることがないので、回転子の重量バランスが崩れず、回転中の機械的振動が増加することがなく、低振動、低騒音でかつ安全な電動機を提供できる。
【００２１】
なお、アンバランス修正用部材として、樹脂の小片を用いてもよい。その場合、形状自由度が大きくなるので、アンバランスを修正するための最適な形状をより容易に作成でき、回転子のアンバランス修正をより容易に実施できる。
【産業上の利用可能性】
【００２２】
本発明の電動機用回転子のアンバランス修正方法は、簡単な構成で容易に回転子のアンバランスを修正でき、低振動、低騒音、高効率な電動機を提供でき、掃除機用ブロワモータ等の整流子モータ等への利用が可能である。
【図面の簡単な説明】
【００２３】
【図１】本発明の一実施例におけるアンバランス修正を行った回転子を示す斜視図
【図２】従来の工法によりアンバランス修正を行った回転子を示す斜視図
【符号の説明】
【００２４】
１    回転子
２    回転子鉄心
３    黄銅の小片
【図１】
2008099451.tif 000003
【図２】
2008099451.tif 000004